(57)【要約】【課題】  吸込み圧損を低減し、電気品箱のサービス性を向上することのできる構造を有した天井吊形空気調和機を提供すること。【解決手段】  この発明は、天井に吊るよう据付けられる直方体形状の筐体２が空気の吸込み口３および吹出し口４を有し、筐体２内には吸込み側と吹出し側に分離するためのセパレータ５が配置され、風路内にはフィルタ６、送風機７、および熱交換器８などを備え、かつ、セパレータ５の下部が前方に張り出すよう斜めに配置することで吸込み側空間の下部を前方へ拡大することができる構造を有するとともに、電気品箱９を送風機７の吹出し口下方においてセパレータ５に固定する構造を有している。【選択図】        図１
2006189198.tif 000002
【特許請求の範囲】
【請求項１】
天井に吊るよう据付けられる直方体形状の筐体が空気の吸込み口および吹出し口を有し、筐体内には吸込み側と吹出し側に分離区画するセパレータを設置し、風路内にはフィルタ、送風機、および熱交換器などを備えた空気調和機であって、前記セパレータ下部が前記送風機吹出し口より前方に張り出すよう斜めに配置すると共に、電気品箱を前記送風機吹出し口下方の前記セパレータに固定するよう配置することを特徴とする天井吊形空気調和機。
【請求項２】
天井に吊るよう据付けられる直方体形状の筐体が空気の吸込み口および吹出し口を有し、筐体内には吸込み側と吹出し側に分離区画するセパレータを設置し、風路内にはフィルタ、送風機、および熱交換器などを備えた空気調和機であって、前記セパレータ下部が前方に張り出すよう斜めに配置し吸込み口面積を拡大するとともに、前記筐体背面に吸込み口を設けたことを特徴とする請求項１記載の天井吊形空気調和機。
【発明の詳細な説明】
【技術分野】
【０００１】
この発明は、吸込み口面積の拡大による圧損低減、およびサービス性の向上を図った天井吊形空気調和機に関するものである。
【背景技術】
【０００２】
従来の天井吊形空気調和機は、天井に吊るよう据付けられる直方体形状の筐体が、下面の壁面側に空気の吸込み口を有し、前面に空気の吹出し口を有すると共に、筐体内には空間を吸込み側と吹出し側に分離するためのセパレータが垂直に設置され、筐体内の吸込み側空間にはグリル、フィルタ、送風機などを備え、吹出し側空間には熱交換器、風向調節ベーンなどを備えている。
【０００３】
例えば、天井吊形空気調和機の電気品箱を送風機吹出し口下方に配置するものとして、電気品箱を送風機吹出し口下方に配置し、調和機背面に開口部を設けることを可能とすることで、調和機本体の高さを変えることなく、集塵機などの通風を要するオプション製品を背面に装着することを可能としている（例えば、特許文献１参照）。
【特許文献１】実開平０３−００６２３４号公報（第１８頁、第２図）
【発明の開示】
【発明が解決しようとする課題】
【０００４】
従来の天井吊形空気調和機では、電気品箱は送風機と背面パネルとの間に配置されており、グリルおよびフィルタを外すと電気品箱にアクセスすることができる。しかし、電気品箱内の電気部品をメンテナンスする際には、送風機と背面パネルとの間が非常に狭いためグリルおよびフィルタを外した後、電気品箱ごと取り外す必要があるという問題点があった。
【０００５】
この発明は、上記のような課題を解決するためになされたもので、第１の目的は、電気品箱内の電気部品をメンテナンスする際に、電気品箱ごと取り外さなくても、そのカバーを外すだけで電気品箱内の電気部品をメンテナンスすることができる天井吊形空気調和機得るものである。
【０００６】
また、第２の目的は、セパレータと下面とが接する位置をより前方に移動することで、筐体のコンパクト化を妨げることなく電気品箱を送風機吹出し口下方に配置することが可能となり、また、吸込み口を拡大し、その効果として吸込み圧損を低減することができる天井吊形空気調和機を得るものである。
【０００７】
また、第３の目的は、電気品箱を筐体の背面ではなく中央に配置することで、筐体背面にも吸込み口を設定することができ、その効果として吸込み圧損を低減することができる天井吊形空気調和機を得るものである。
【課題を解決するための手段】
【０００８】
この発明に係る天井吊形空気調和機は、天井に吊るよう据付けられる直方体形状の筐体が空気の吸込み口および吹出し口を有し、筐体内には吸込み側と吹出し側に分離区画するセパレータを設置し、風路内にはフィルタ、送風機、および熱交換器などを備えた空気調和機であって、前記セパレータ下部が前記送風機吹出し口より前方に張り出すよう斜めに配置すると共に、電気品箱を前記送風機吹出し口下方の前記セパレータに固定するよう配置したものである。
【発明の効果】
【０００９】
この発明に係る天井吊形空気調和機は、天井に吊るよう据付けられる直方体形状の筐体が空気の吸込み口および吹出し口を有し、筐体内には吸込み側と吹出し側に分離区画するセパレータを設置し、風路内にはフィルタ、送風機、および熱交換器などを備えた空気調和機であって、前記セパレータ下部が前記送風機吹出し口より前方に張り出すよう斜めに配置すると共に、電気品箱を前記送風機吹出し口下方の前記セパレータに固定するよう配置した構成としたから、電気品箱内の電気部品をメンテナンスする際に、電気品箱ごと取り外す必要は無く、そのカバーを外すだけで電気品箱内の電気部品をメンテナンスすることができるという効果を有する。
【発明を実施するための最良の形態】
【００１０】
実施の形態１．
以下図１に示すこの発明の実施の形態１における天井吊形空気調和機の断面図について説明する。図において、天井１に据付けられる天井吊形空気調和機は、直方体形状の筐体２が下面に空気の吸込み口３および前面に吹出し口４を有する風路５を形成し、該筐体内２風路５には吸込み側５ａと吹出し側５ｂとに分離区画するためのセパレータ６が設置され、風路５内の吸込み口３側にはフィルタ７、送風機８および電気品箱９を配置し、前記吹出し口４側には熱交換器１０を配置している。前記セパレータ６は筐体２内で下部が前方に張り出す方向に斜めに配置すると共に、前記送風機８の吹出し口８ａが前記セパレータ６を貫通して装着され、該セパレータ６と前記筐体２の下面との接する位置が、前記送風機吹出し口よりも前方で接するようにしてあり、吸込み口３を従来の天井吊形空気調和機よりも前方に拡大している。また、該電気品箱９は電気品箱カバー９ａを有し、前記送風機８の吹出し口８ａ下方側の前記セパレータ６に固定するよう配置している。
【００１１】
次にこの実施の形態１の動作について説明する。送風機７が駆動すると吸込み口３から吸込まれ筐体２の内部に入った室内空気は、風路５内を矢印で示すようにフィルタ７で除塵された後、送風機８から送出された空気が該送風機８の吹出し口８ａから熱交換器１０に吹き付けられることによって熱交換空気として調温され、筐体内２の吹出し口４から調和空気として送出される。
【００１２】
以上のように、セパレータ６を斜めに配置するようにしているので、従来のように垂直に配置する場合と比較して、吸込み口３の面積を拡大することができるため、その効果として吸込み圧損を低減することができ、同一回転数での風量増加に寄与する。つまり、同一風量で見れば、回転数を低下させ、騒音を低減させることにつながる効果がある。
【００１３】
また、吸込み側５ａ空間の下部を前方へ拡大することできため、筐体２の高さ、奥行きを大きくすることなく、つまりコンパクト化を妨げることなく電気品箱９を送風機８の吹出し口８ａ下方に配置することができる。電気品箱９を筐体２の背面ではなく中央に配置したことの効果として、電気品箱９内の電気部品をメンテナンスする際に、電気品箱９ごと取り外さなくても、その電気品箱カバー９ａを外すだけで電気品箱９内の電気部品をメンテナンスすることができる。
【００１４】
図２はこの発明の他の実施の形態における断面図である。図において天井吊形空気調和機の筐体２が空気の吸込み口３および吹出し口４を有する風路５を形成し、該筐体内２風路５には吸込み側５ａと吹出し側５ｂとに分離区画するためのセパレータ６が設置され、該セパレータ６は、送風機８の吹出し口８ａを固定するを垂直固定部６ａと電気品箱９を装着する傾斜面６ｂと、前記筐体２の下面と接する下端曲部６ｃより成っている。
【００１５】
このように他の実施の形態においても、組み立て性の向上を狙って、図２に示すようにセパレータ６を形成したとしても、これらの効果に何ら変わりは無い。
【００１６】
以上の実施の形態１では、吸込み口３を従来どおり筐体２の下面にのみ設けたものであるが、他の据付け場所において、壁面１１と筐体２の背面２ａとの間に隙間を設けることが許容される状況の場合に、オプションとして背面にも吸込み口を設けた場合を説明する。
【００１７】
図３はこの発明の他の実施の形態における断面図である。図３において、天井吊形空気調和機の筐体２が空気の吸込み口３および吹出し口４を有する風路５形成し、該筐体内２風路５には吸込み側５ａと吹出し側５ｂとに分離区画するためのセパレータ６が設置され、該風路５内の吸込み口３側にはフィルタ７、送風機８および電気品箱９、吹出し口４側には熱交換器１０などを備えている。前記セパレータ６は筐体２内で下側を前方方向に斜めに配置することにより、該セパレータ６と前記筐体２の下面との接する位置が、前方で接するようにしてあり、吸込み口３も前方に拡大している。また、前記筐体２の背面２ａには、背面吸込み口２ｂおよび背面フィルタ１２を設けている。
【００１８】
以上のように、従来どおりの筐体下面の吸込み口に加え、筐体背面の吸込み口からも空気を吸込むことを可能としているので、吸込み口面積の総和は実施の形態１よりさらに拡大することができ、その効果として、吸込み圧損を低減し総風量を増大させることができる。
【図面の簡単な説明】
【００１９】
【図１】この発明の実施の形態１における天井吊形空気調和機を示す概略断面図である。
【図２】この発明の他の実施の形態における天井吊形空気調和機を示す概略断面図である。
【図３】この発明の他の実施の形態における天井吊形空気調和機を示す概略断面図である。
【符号の説明】
【００２０】
１  天井、２  筐体、２ａ  筐体背面、２ｂ  背面吸込み口、３  吸込み口、４  吹出し口、５  風路、５ａ  吸込み側、５ｂ  吹出し側、６  セパレータ、６ａ  垂直固定部、６ｂ  傾斜面、６ｃ  下端曲部、７  フィルタ、８  送風機、８ａ  送風機吹出し口、９  電気品箱、９ａ  電気品箱カバー、１０  熱交換器、１１  壁面、１２  背面フィルタ。
【図１】
2006189198.tif 000003
【図２】
2006189198.tif 000004
【図３】
2006189198.tif 000005